(57)【特許請求の範囲】
【請求項１】
プラスチックシートの両面がプラスチックフイルムで被覆されたヘッダー部と下部に開口部がある印刷プラスチックフイルム製袋体部からなり、該印刷プラスチックフイルム製袋体部とヘッダー部と区分する熱シール３を有し、印刷プラスチックフイルム製袋体部は、表側印刷プラスチックフイルム１ａと裏側印刷プラスチックフイルムが連続している印刷プラスチックフイルム１によって構成されてなり、袋体部の側縁８は表側印刷プラスチックフイルムと裏側印刷プラスチックフイルムの側縁が溶着されて形成され、袋体部の開口部９の開口縁には、離型紙７付き粘着剤層６と封口片１０からなる封口手段を有し、プラスチック製商品包装袋において、印刷プラスチックフイルム製袋体部の裏側印刷プラスチックフイルムは三重積層フイルムによって形成され、該三重積層フイルムは、ヘッダー部の裏側被覆フイルムから連続している内層印刷フイルム１ｂと該内層印刷フイルムから連続している中層印刷フイルム１ｄ及び該中層印刷フイルムから連続している外層印刷フイルム１ｆからなり、かつ、該三重積層フイルムの内層印刷フイルム１ｂと中層印刷フイルム１ｄの積層間の側縁部に融着阻害処理面５を介在させてなり、該三重積層フイルムと表フイルムとを合わせた四重フイルムの側縁並びにヘッダー部の側縁を同時に溶断して溶着してなることを特徴とする商品包装袋。
【請求項２】
三重積層フイルムの中層印刷フイルムと外層印刷フイルムの積層間の側縁部に融着阻害処理面を介在させた請求項１記載の商品包装袋。
【請求項３】
三重積層フイルムの内層印刷フイルムと中層印刷フイルムの積層間の側縁部に融着阻害処理面が、コロナ放電処理層である請求項１又は２記載の商品包装袋。
【請求項４】
プラスチックシートの両面がプラスチックフイルムで被覆されたヘッダー部と上部に開口部がある印刷プラスチックフイルム製袋体部からなり、該印刷プラスチックフイルム製袋体部とヘッダー部と区分する熱シール３を有し、印刷プラスチックフイルム製袋体部は、表側印刷プラスチックフイルム１ａと裏側印刷プラスチックフイルムが連続している印刷プラスチックフイルム１によって構成されてなり、袋体部の側縁８は表側印刷プラスチックフイルムと裏側印刷プラスチックフイルムの側縁が溶着されて形成され、袋体部の開口部９の開口縁には、離型紙７付き粘着剤層６と封口片１０からなる封口手段を有するプラスチック製商品包装袋において、印刷プラスチックフイルム製袋体部の裏側印刷プラスチックフイルムは三重積層フイルムによって形成され、該三重積層フイルムは、表側印刷プラスチックフイルム１ａから袋体部の底部を経由して連続している内層印刷フイルム１ｂ、該内層印刷フイルムから連続している中層印刷フイルム１ｄ及び該中層印刷フイルムから連続している外層印刷フイルム１ｆからなり、かつ、該三重積層フイルムの内層印刷フイルム１ｂと中層印刷フイルム１ｄの積層間の側縁部に融着阻害処理面５を介在させてなり、該三重積層フイルムと表フイルムとを合わせた四重フイルムの側縁並びにヘッダー部の側縁を同時に溶断して溶着してなることを特徴とする商品包装袋。
【請求項５】
三重積層フイルムの中層印刷フイルムと外層印刷フイルムの積層間の側縁部に融着阻害処理面を介在させた請求項４記載の商品包装袋。
【請求項６】
三重積層フイルムの内層印刷フイルムと中層印刷フイルムの積層間の側縁部に融着阻害処理面が、コロナ放電処理層である請求項４又は５記載の商品包装袋。
【請求項７】
表側印刷プラスチックフイルムと裏側印刷プラスチックフイルムの少なくとも片面に、プラスチックシートが積層されている請求項１〜６のいずれかに記載の商品包装袋。
【請求項８】
印刷プラスチックフイルムの印刷が地色のベタ印刷によって裏写り防止したものである請求項１〜７のいずれかに記載の商品包装袋。
【発明の詳細な説明】
【技術分野】
【０００１】
本発明は、小型商品の販売に用いられる商品包装袋に関する。
特に、収納する商品の取扱説明等の印字が袋体材料の袋体部を形成する３重フイルムの積層内部に印刷された商品包装袋に関する。
【背景技術】
【０００２】
小型商品の販売には、プラスチックフイルム製商品包装袋は、連続製造方法で自動的に効率良く製造でき、商品を手軽に包装でき、梱包容積も小さく、狭い売り場面積でも吊り下げて陳列できる点で、包装経費及び梱包経費（運送経費）が安価な包装材として非常に広く普及している。
しかしながら、近年、小型商品といえども取り扱いが複雑な商品も増え、ＰＬ法等の規制も厳しくなったために、詳細な商品の性能の説明及び取扱説明及び使用上の注意等の情報を商品包装袋に添付することが必要となってきた。
現在、商品包装袋の袋体部のプラスチックフイルムは、表側面は、商品の名前、宣伝のための印刷文字又は模様によって占められるので、商品の詳細な性能、取扱説明の印刷は、商品包装袋の袋体の裏面側のフイルム面に限定されている。
小型商品の商品包装袋は、袋体面の面積が狭く、袋体の裏面側のフイルム面の印刷スペースだけでは、詳細な商品の性能の説明及び取扱説明を記載することは不可能である。
そのため、詳細な取扱説明書を必要とする場合は、別に取扱説明書を作成して、商品とともに、取扱説明書を商品包装袋内に収納している。
別の取扱説明書を作製することは、手間と経費がかかり、商品包装袋の利点である包装の簡便性を損ない、包装経費が高くなる。
【特許文献１】特開平１１−３０１６９５号公報
【特許文献２】特願２０００−６２６８号公報
【特許文献３】特開２０００−３２６９９３号公報
【発明の開示】
【発明が解決しようとする課題】
【０００３】
本発明は、従来のプラスチックフイルム製商品包装袋と同寸で、従来の商品包装袋と同一の効率的連続製造方法により製造でき、加工経費及び包装経費が安価な商品包装袋であって、袋体自体の印刷スペースを増加させて、商品の取扱説明書を別に作製して添付する必要のない商品包装袋を提供することを目的とする。
【課題を解決するための手段】
【０００４】
本発明は、商品包装袋の袋体の裏面側フイルムを三重構造にして、その積層面に、取扱説明書の文言を印刷しておき、商品を購入した消費者が商品の取り出しとともに、袋体の裏面側の三重構造を展開して、積層内部に予め印刷されていた２面〜４面の印刷文を読み取ることができる発明である。
すなわち、本発明は次の各項よりなる。
（１）プラスチックシートの両面がプラスチックフイルムで被覆されたヘッダー部と下部に開口部がある印刷プラスチックフイルム製袋体部からなり、該印刷プラスチックフイルム製袋体部とヘッダー部と区分する熱シール３を有し、印刷プラスチックフイルム製袋体部は、表側印刷プラスチックフイルム１ａと裏側印刷プラスチックフイルムが連続している印刷プラスチックフイルム１によって構成されてなり、袋体部の側縁８は表側印刷プラスチックフイルムと裏側印刷プラスチックフイルムの側縁が溶着されて形成され、袋体部の開口部９の開口縁には、離型紙７付き粘着剤層６と封口片１０からなる封口手段を有し、プラスチック製商品包装袋において、印刷プラスチックフイルム製袋体部の裏側印刷プラスチックフイルムは三重積層フイルムによって形成され、該三重積層フイルムは、ヘッダー部の裏側被覆フイルムから連続している内層印刷フイルム１ｂと該内層印刷フイルムから連続している中層印刷フイルム１ｄ及び該中層印刷フイルムから連続している外層印刷フイルム１ｆからなり、かつ、該三重積層フイルムの内層印刷フイルム１ｂと中層印刷フイルム１ｄの積層間の側縁部に融着阻害処理面５を介在させてなり、該三重積層フイルムと表フイルムとを合わせた四重フイルムの側縁並びにヘッダー部の側縁を同時に溶断して溶着してなることを特徴とする商品包装袋。
（２）三重積層フイルムの中層印刷フイルムと外層印刷フイルムの積層間の側縁部に融着阻害処理面を介在させた(１)項記載の商品包装袋。
（３）三重積層フイルムの内層印刷フイルムと中層印刷フイルムの積層間の側縁部に融着阻害処理面が、コロナ放電処理層である(１)又は(２)項記載の商品包装袋。
（４）プラスチックシートの両面がプラスチックフイルムで被覆されたヘッダー部と上部に開口部がある印刷プラスチックフイルム製袋体部からなり、該印刷プラスチックフイルム製袋体部とヘッダー部と区分する熱シール３を有し、印刷プラスチックフイルム製袋体部は、表側印刷プラスチックフイルム１ａと裏側印刷プラスチックフイルムが連続している印刷プラスチックフイルム１によって構成されてなり、袋体部の側縁８は表側印刷プラスチックフイルムと裏側印刷プラスチックフイルムの側縁が溶着されて形成され、袋体部の開口部９の開口縁には、離型紙７付き粘着剤層６と封口片１０からなる封口手段を有するプラスチック製商品包装袋において、印刷プラスチックフイルム製袋体部の裏側印刷プラスチックフイルムは三重積層フイルムによって形成され、該三重積層フイルムは、表側印刷プラスチックフイルム１ａから袋体部の底部を経由して連続している内層印刷フイルム１ｂ、該内層印刷フイルムから連続している中層印刷フイルム１ｄ及び該中層印刷フイルムから連続している外層印刷フイルム１ｆからなり、かつ、該三重積層フイルムの内層印刷フイルム１ｂと中層印刷フイルム１ｄの積層間の側縁部に融着阻害処理面５を介在させてなり、該三重積層フイルムと表フイルムとを合わせた四重フイルムの側縁並びにヘッダー部の側縁を同時に溶断して溶着してなることを特徴とする商品包装袋。
（５）三重積層フイルムの中層印刷フイルムと外層印刷フイルムの積層間の側縁部に融着阻害処理面を介在させた(４)項記載の商品包装袋。
（６）三重積層フイルムの内層印刷フイルムと中層印刷フイルムの積層間の側縁部に融着阻害処理面が、コロナ放電処理層である(４)又は(５)項記載の商品包装袋。
（７）表側印刷プラスチックフイルムと裏側印刷プラスチックフイルムの少なくとも片面に、プラスチックシートが積層されている(１)〜(６)項のいずれかに記載の商品包装袋。
（８）印刷プラスチックフイルムの印刷が地色のベタ印刷によって裏写り防止したものである(１)〜(７)項のいずれかに記載の商品包装袋。
【発明の効果】
【０００５】
本発明の商品包装袋の構造は、従来のプラスチックフイルム製商品包装袋とほぼ同寸で、製造方法としては、袋体の連続製造方法に、袋体の製造加工では常用されている連続折り曲げ工程を付加するだけで、連続的に効率よく製造できる構造であり、取扱説明書の印刷のために袋体の裏側面単位で、最初の袋体の裏面を入れて、最大５面まで、印刷スペースを増加することができ、商品の取扱説明書を別に添付することなく、包装経費、梱包経費が安価な包装を実現できる。
【発明を実施するための最良の形態】
【０００６】
本発明を具体的な実施例の図面によって詳細に説明する。
本発明のヘッダー付き商品包装袋の第一の態様は、図１の断面図及び図２の平面図に示すように、ヘッダー部と袋体部からなる商品包装袋である。ヘッダー部は、芯材となるプラスチックシート２の表裏両面がプラスチック被覆フイルム１ｃで被覆されている。
本発明のヘッダーの芯材となるプラスチックシートは、熱可塑性樹脂の１００〜８００μｍのプラスチックシート、例えば合成紙を用いることができる。
本発明に用いる印刷プラスチックフイルムは、厚さ４０〜５００μｍ、好ましくは、６０〜１００μｍのプラスチックフイルム（若しくはプラスチックシート）を用いることができる。
本発明に用いる印刷プラスチックフイルムとしては、プラスチックフイルムに印刷を施工した印刷プラスチックフイルム、印刷プラスチックフイルムを半折重合した二重印刷プラスチックフイルム、薄い印刷プラスチックフイルムの印刷面に厚手のプラスチックシートを積層した積層印刷フイルム、印刷プラスチックシートの印刷面に薄いプラスチックフイルムを保護フイルムとして積層したものを用いることができる。本発明の印刷面は、合成紙に積層する場合を除いて、裏写り防止のために、地色のベタ印刷の上に印字若しくは印刷模様を印刷することができる。
図１〜２の第１の態様の袋体部は、表側印刷プラスチックフイルム１ａの内面及び裏側印刷プラスチックフイルムの内層印刷フイルム１ｂの内面との間に形成されていて、２面の印刷プラスチックフイルムによって形成される袋体部の上部では、ヘッダー部と袋体部を区分する熱シール３によって表側印刷プラスチックフイルム１ａと内層印刷フイルム１ｂがヘッダー部の芯材のプラスチックシート２の下縁とともに三重積層が一体的に溶着されている。
【０００７】
本発明における表側印刷プラスチックフイルム及び裏側印刷プラスチックフイルムの「表側及び裏側」の語句の概念は説明の都合上から便宜的に表記したものであり、ここに記載した表側印刷プラスチックフイルム１ａを裏側と見て、その反対側を表側と見ることも可能である。すなわち、本発明の商品包装袋においては、表側と裏側の文言は、取り扱う人の認識によって決定されるものであり、互いに互換性がある。
図２の袋体部の両側縁８は熱溶着され、下方に開口部９があり、袋体部の開口部９には、表側印刷プラスチックフイルム１ａの先端に延設されて封口片１０があり、該封口片１０の先端縁は、粘着剤層６に離型紙７を貼着した封口手段を有するプラスチック製商品包装袋である。この封口手段は、封口片１０の離型紙７を剥がして、露出した粘着剤層６を、内層印刷フイルム１ｂの先端縁に貼着させて、袋体部の開口部を封口片１０によって封口することができる。
本発明の封口手段としては、図１に示したものに限定されることはなく、開口部を封口片１０によって封口する手段として知られているものは、全て用いることができる。例えば、図１の離型紙７付き粘着剤層６を外層印刷フイルム１ｆの先端縁に設け、これに封口片１０の先端縁を当接させて封口する手段とすることもできる。
また、裏側印刷フイルムの外層印刷フイルム１ｆの先端側を延設して封口片１０を設けて、この封口片１０の先端縁又は該先端縁が当接する表側印刷フイルムの先端縁に、離型紙７付き粘着剤層６を設ける封口手段を用いることができる。
袋体部の表側印刷プラスチックフイルム１ａは、ヘッダー芯材のプラスチックシート２の表側及び裏側に被覆されているプラスチック被覆フイルム１ｃに連続していて、袋体の裏側印刷フイルムの三重積層フイルムの内層印刷フイルム１ｂに一体的に連続している。
【０００８】
図１において、プラスチック被覆フイルム１ｃ、表側印刷プラスチックフイルム１ａ、内層印刷フイルム１ｂ、中層印刷フイルム１ｄ、外層印刷フイルム１ｆは連続する１枚のフイルムであることを示すものである。
表側印刷プラスチックフイルム１ａ及び三重積層フイルムの印刷は、同一の面側に印刷されているので、表側印刷プラスチックフイルム１ａ及び三重積層フイルムの印字印刷又は印刷模様は、一つの印刷版によって、同時に印刷することができる。
プラスチック被覆フイルム１ｃは、印刷面があることは必須構成でないが、プラスチック被覆フイルム１ｃに印刷を施工する場合は、表側印刷プラスチックフイルム１ａ及び内層印刷フイルム１ｂと同一の面に同時に印刷することが望ましい。
安価に商品包装袋を製造するためには、連続製造工程によって製造することが必須条件である。連続製造工程では、繰り返し反復される印刷模様を印刷した長尺の印刷フイルムを用いて、袋体構造を形成して、商品包装袋の幅ごとに溶断して、１個の商品包装袋を製造する。表側印刷プラスチックフイルム１ａ及び三重積層フイルムの印刷が連続する一枚のプラスチックフイルムの同一の面に同時に印刷されていることは、表側印刷フイルム１ａ及び三重積層フイルムの印刷を同調させることを容易にすることができる。
図１の商品包装袋は、ヘッダー部の裏側被覆フイルムから連続している内層印刷フイルム１ｂは、袋体部の下部近傍で外側に折り返して反転して上方に折り畳まれ、上方に反転した中層印刷フイルム１ｄとなって、袋体上部の近傍で、再び、外側に折り返して反転して下方に折り畳まれ、下方に反転して、外層印刷フイルム１ｆとなって、袋体の下部まで延設されている。内層印刷フイルム１ｂ、中層印刷フイルム１ｄ及び外層印刷フイルム１ｆによって、袋体部の裏面側に三重積層フイルムが形成される。
本発明の商品包装袋を連続製造方法において、三重積層フイルムを形成するには、長尺の帯状フイルムのヘッダー部相当位置にヘッダー芯材を狭持させながら第１の折り曲げを施工し、次いで、中層印刷フイルム１ｄと外層印刷フイルム１ｆの折り曲げを施工し、最後に、中層印刷フイルム１ｄと内層印刷フイルム１ｂの境界線を折り曲げる順序が好ましい。
【０００９】
該三重積層フイルムは、内層印刷フイルム１ｂと中層印刷フイルム１ｄの積層間の側縁溶着部に融着阻害処理面５を介在させている。融着阻害処理面５は溶断工程の際に、溶着物の間に存在して完全溶着を防止するものであり、融着阻害処理面５が印刷フイルムの印刷層の上に介在しても、フイルム表面と印刷層の間に介在しても、同一の溶着防止作用を発揮する。
図１では、融着阻害処理面は、側縁のみでなく、積層全面に介在させている。半溶着状態を形成するには、側縁部のみの融着阻害処理面５で十分であるが、全面に処理して設ける方が、施工が簡単である。融着阻害処理面５は、半溶着状態にすべき積層のいずれかの面に、予め設けておくことができる。融着阻害処理面を形成する方法は、プラスチックフイルムの積層に熱溶断を施工したときに、プラスチックフイルム間の熱溶着を阻害して、指で剥離可能な半溶着状態にする方法であれば、特に制限なく使用できる。
このような処理手段としては、溶断工程において、フイルムの溶着境界面の溶断線上に溶着を半分阻害する物質、融着阻害物質を介在させる手段及びフイルム面を粗面化処理して、溶着面に密着性を半分阻害する手段がある。前者の融着阻害物質としては、ホットメルト接着剤、ニス、油性インキビヒクル、澱粉糊、ゼラチン等を用いることができ、また、無機微粉物質を分散した接着剤を塗布することによって形成することができる。
後者のフイルム面の密着阻害としては、コロナ放電処理手段等の物理的粗面化処理手段がある。特に、コロナ放電処理は、既にフイルム面を一括してコロナ放電処理した市販フイルムを活用できるので、新たに物質を塗布する工程が商品包装袋製造工程で行う必要がないので、商品包装袋製造工程上で有利である。コロナ放電処理面を用いる場合は、フイルムにコロナ放電により粗面化処理した処理面に印刷を施工するとフイルムの印刷性も向上するので好適である。また、融着阻害処理面は、積層の溶断工程の前に積層面のいずれか一方の面に設ければ良いが、積層の両面に融着阻害処理面を設けて、溶着力を弱く調節することができる。特に、コロナ放電処理の場合は、両面に設ける方が溶着力を適度に低下させることが出来るので好ましい。
コロナ放電処理面を有するフイルムに印刷を施工した印刷フイルムを用いた場合は、印刷性も良くなる上に、袋体の内面側は、コロナ放電処理面はなく、袋体側縁の溶着は完全に溶着して強固な袋体部を形成し、中層印刷フイルム１ｄと内層印刷フイルム１ｂの間には、コロナ放電処理面が二重に介在して、適度な強度の半溶着状態を形成するので、指で積層を剥離する操作が円滑に行うことができる。
【００１０】
第１態様の図１の商品包装袋の実施例では、コロナ放電処理した市販ポリプロピレンフイルムを用いている。
図１の商品包装袋では、当該三重積層フイルムと表側印刷プラスチックフイルム１ａとを合わせた四重フイルムの側縁並びにプラスチック被覆フイルム１ｃとヘッダー芯材からなるヘッダー部の側縁を同時に溶断して商品包装袋の側縁を一体的に溶着固定している。
この溶断工程によって、四重フイルムの側縁は、表側印刷プラスチックフイルム１ａと内層印刷フイルム１ｂの積層及び中層印刷フイルム１ｄと外層印刷フイルム１ｆの積層は、完全に熱溶着され、最早、指で引き剥がすことはできない。内層印刷フイルム１ｂと中層印刷フイルム１ｄの積層間には、融着阻害処理面５（コロナ放電処理面）が存在しているので、この積層の溶着は半溶着状態となっている。そのため、袋体のヘッダーの近傍の折り返し部分を指で強く引き剥がすと、折り返し部分の側縁溶着部と内層印刷フイルム１ｂの溶着部が、近傍のフイルム材質を破壊することなく円滑に溶着前のフイルムに分離することができ、一旦分離したのちは、中層印刷フイルム１ｄと外層印刷フイルム１ｆの二重構造フイルムが一体シートとなって、内層印刷フイルム１ｂの上部から順次円滑に側縁を剥離することができて、内層印刷フイルム１ｂと中層印刷フイルム１ｄの積層間を完全に分離して開放することができ、該積層の両側面の印刷フイルムの印刷面を露出させてこれを読み取ることができる。
【００１１】
本発明の第２の態様は、図１の断面構造の三重積層フイルムの中層印刷フイルム１ｄと外層印刷フイルム１ｆの積層間の側縁部に第２の融着阻害処理面を介在させる（図示しない）ことによって、この積層間を半溶着とする態様である。この積層間を、外層印刷フイルム１ｆの先端から剥離すると、中層印刷フイルム１ｄと外層印刷フイルム１ｆの積層面側に印刷されている印刷面を露出させて読み取ることができる。ここに露出させる印刷面は、表側印刷フイルムの印刷面の反対面に印刷することになり、表裏の２度印刷となる手間が懸かるが、片面に印刷した長尺フイルムを半折重合したものを用いれば、１度印刷刷りで両面印刷を行うことができる。
中層印刷フイルム１ｄと外層印刷フイルム１ｆの積層間の側縁部に設ける融着阻害処理面は、内層印刷フイルム１ｂと中層印刷フイルム１ｄの間に設ける融着阻害処理面５と反対側の面に処理することになる。この反対面の融着阻害処理面５は、袋体の表側印刷プラスチックフイルム１ａと内層印刷フイルム１ｂとの積層間の側縁部に、融着阻害処理面を介在させないことが肝要である。この面に融着阻害処理面５を介在させると、袋体側縁が半溶着状態で剥離可能となり、袋体の強度が著しく低下する。
第２の態様で用いる第２の融着阻害処理面５は、第１の融着阻害処理面５と別の融着阻害処理面５の手段とすることができる。例えば、第１の融着阻害処理面５をフイルムの片面全面をコロナ放電処理した市販フイルムを用いた場合、反対面の第２の融着阻害処理面５は剥離ニスを部分的に塗布した融着阻害処理面にすることができる。
本発明の第３の態様は、図３の断面図に示す開口部が袋体上部にある態様である。
【００１２】
図３は、袋体部の印刷プラスチックフイルムは、ヘッダー部のプラスチック被覆フイルム１ｃから下方に延設されて、袋体部の表側印刷プラスチックフイルム１ａを経由して、袋体の底部を形成しながら上方に反転して、袋体部の裏側印刷プラスチックフイルムに一体的に連続している印刷フイルムである。袋体部の裏側印刷フイルムの三重積層フイルムが、袋体底部から上方に連続している内層印刷フイルム１ｂ、該内層印刷フイルム１ｂを袋体上部の近傍で外側に折り返して反転して下方に折り畳まれた中層印刷フイルム１ｂ及び該中層印刷フイルム１ｂを袋体の底部の近傍で、再び、外側に折り返して反転して上方のヘッダー部の下縁まで外層印刷フイルム１ｆを延設させて、袋体の裏面側に三重積層フイルムを形成している。図３の商品包装袋は、三重積層フイルムの内層印刷フイルム１ｂと中層印刷フイルム１ｄの積層間の側縁溶着部に融着阻害処理面５を介在させている。そして、この三重積層フイルムと表側印刷フイルムの４層及びヘッダー部の側縁を溶断して側縁を熱溶着して図３の商品包装袋を作製する。外層印刷フイルム１ｆの上縁には、封口片１０を延設して、この上縁に離型紙７付き粘着剤層６を設けて封口手段としている。
袋体の裏側の内層印刷フイルム１ｂと中層印刷フイルム１ｄの積層間に形成された半溶着層を指で剥がすことによって、この積層面に印刷されている商品包装袋の取扱説明書を読むことができる。
第３の態様の袋体部の開口部の開口縁の封口手段として、図４のように、封口片１０をヘッダー部の下縁から延設して取り付け、この先端縁に離型紙付き粘着剤層６を設け、該離型紙を剥がしてから、外層印刷フイルム１ｆの外側表面に粘着剤層６によって封口する封口手段にすることができる。
さらに、第４の態様として、図３及び図４の断面構造の三重積層フイルムの中層印刷フイルム１ｄと外層印刷フイルム１ｆの積層間の側縁部に第２の融着阻害処理面を介在させる（図示しない）と、この積層間が半溶着となる。第４の態様においても、第１の融着阻害処理面５をコロナ放電処理層として、第２の融着阻害処理面を部分的コロナ放電処理層又は部分的剥離ニス等の物質塗布処理層が望ましい。
中層印刷フイルム１ｄと外層印刷フイルム１ｆの積層間を剥離することによって、さらに、２面の印刷面が露出する。
本発明の商品包装袋においては、印刷プラスチックフイルムとして、薄いものを用いた場合は、袋体部に腰を持たせ、自立性商品包装袋とするために、表側印刷プラスチックフイルムと裏側印刷プラスチックフイルムの少なくともいずれかに、厚手のプラスチックシートを積層することができる。
また、本発明の印刷プラスチックフイルムの印刷が地色のベタ印刷によって裏写り防止したものが望ましい。特に、印刷面が両面に存在する場合は、好ましい。
本発明の商品包装袋の袋体部に薄い表側印刷プラスチックフイルム及び裏側印刷プラスチックフイルムが用いられている場合には、その少なくともいずれかに、プラスチックシートを芯材として積層して、袋体部に剛性を持たせて自立性袋にすることができる。
【産業上の利用可能性】
【００１３】
商品包装袋に包装する小型商品の販売において、詳細な取扱説明書等を必要とする場合に、特に有用な発明である。
【図面の簡単な説明】
【００１４】
【図１】本発明の商品包装袋の断面図である。
【図２】図１の平面図である。
【図３】本発明の他の態様の断面図である。
【図４】本発明の他の態様の断面図である。
【符号の説明】
【００１５】
１  印刷プラスチックフイルム
１ａ  表側印刷プラスチックフイルム
１ｂ  内層印刷フイルム
１ｃ  プラスチック被覆フイルム
１ｄ  中層印刷フイルム
１ｆ  外層印刷フイルム
２  プラスチックシート
３  熱シール
４  吊り下げ孔
５  融着阻害処理面
６  粘着剤層
７  離型紙
８  側縁
９  開口部
１０  封口片
【図１】
0005200305.tif 000002
【図２】
0005200305.tif 000003
【図３】
0005200305.tif 000004
【図４】
0005200305.tif 000005